(57)【要約】【課題】 トンネル背面に存在する空洞が大きく拡がっている場合に、空洞の所定範囲を限定的に充填することが可能な充填方法を提供する。【解決手段】トンネルＴを適宜の工法で掘削し、坑内に支保工５を架設する。次いで、空洞Ｖの底付近に位置する矢板３に孔をあける等して、支保工５背面の空洞Ｖに向けて所定長さの帯状の袋体１０を突出させ、袋体１０の口元部を支保工５に固定する。そして、袋体１０内に発泡ウレタンを注入して発泡膨脹させ、所定長・所定径を有する緩衝体１を空洞Ｖの所定範囲Ｒに形成する。引き続き、トンネルＴの両側壁部から天端部に向けて空洞Ｖの所定範囲Ｒに緩衝体１を形成していき、緩衝体１の束からなる緩衝ゾーンを空洞Ｖの所定範囲Ｒに構築する。【選択図】図１
2007146522.tif 000002
【特許請求の範囲】
【請求項１】
トンネル背面に存在する空洞を限定的に充填する方法であって、
トンネル支保工から前記空洞に向けて突出させた所定長さを有する袋体の内部に充填材を充填して緩衝体を形成する作業を、トンネル側壁部から天端部に向けて順次実施し、前記空洞の所定範囲に前記緩衝体の束からなる緩衝ゾーンを形成することを特徴とする空洞の充填方法。
【請求項２】
前記充填材が発泡ウレタンとされていることを特徴とする請求項１に記載の空洞の充填方法。
【請求項３】
前記袋体は当該袋体内に芯材を備えることを特徴とする請求項１または２に記載の空洞の充填方法。
【発明の詳細な説明】
【技術分野】
【０００１】
本発明は、空洞の充填方法に関し、特に、トンネル背面に存在する空洞を限定的に充填する方法に関する。
【背景技術】
【０００２】
従来より、 トンネル掘削工事あるいは既設トンネルの補修工事では、 トンネル背面に存在する空洞 に充填材 を充填して トンネル背面 の地山 の強化を図ることが行われている（例えば、特許文献１〜３参照） 。
【特許文献１】特許第３４４７５２９号公報
【特許文献２】特許第３４４７５３０号公報
【特許文献３】特許第３４９２５０１号公報
【発明の開示】
【発明が解決しようとする課題】
【０００３】
旧鉱山地域のトンネル掘削では、採鉱跡である廃止坑道と遭遇したり、廃止坑道の近傍を掘削することがある。このような場合、廃止坑道のような大きな空洞を完全に充填すると工期および工費が掛かるため、空洞の所定範囲について限定的に充填することが望まれる。しかし、空洞が大きく拡がっている場合、特許文献１〜３に記載されているような従来の充填方法では充填材が逸散し、空洞の所定範囲を限定的に充填することは難しい。
【０００４】
本発明は、上述する問題点に鑑みてなされたもので、 トンネル背面に存在する空洞が大きく拡がっている場合に、空洞の所定範囲を限定的に充填することが可能な充填方法を提供することを目的とする。
【課題を解決するための手段】
【０００５】
上記目的を達成するため、本発明は、 トンネル背面に存在する空洞を限定的に充填する方法であって、トンネル支保工から前記空洞に向けて突出させた所定長さを有する袋体の内部に充填材を充填して緩衝体を形成する作業を、トンネル側壁部から天端部に向けて順次実施し、前記空洞の所定範囲に前記緩衝体の束からなる緩衝ゾーンを形成することを特徴とする。
本発明では、所定長さを有する袋体内に充填材を充填して形成した緩衝体を空洞の所定範囲に束状に配設するので、空洞内に隔壁などを構築しないと空洞内の充填ができないような、空洞が大きく拡がっているような場合でも、空洞の所定範囲を限定的に充填することが可能である。しかも、緩衝体の束が空洞上部からの落石を受け止めるので落石防護工としても機能する。
【０００６】
また、本発明では、前記充填材が発泡ウレタンとされていることを好適とする。
発泡ウレタンは、降伏後の変形量が非常に大きく、耐衝撃性に優れている。また、耐久性にも優れているうえ、注入管を用いて袋体内に注入することができるので施工も容易である。
【０００７】
また、本発明では、前記袋体は当該袋体内に芯材を備えることを好適とする。
袋体内に芯材を配設しておくことにより袋体同士が絡み合わず、充填材の充填作業が容易となる。
【発明の効果】
【０００８】
本発明に係る空洞の充填方法では、所定長さを有する袋体内に充填材を充填して形成した緩衝体を空洞の所定範囲に束状に配設するので、空洞が大きく拡がっている場合でも空洞の所定範囲を限定的に充填することができる。
【発明を実施するための最良の形態】
【０００９】
以下、本発明に係る空洞の充填方法について図面に基づいて説明する。
図１〜図３に、本充填方法を説明するためのトンネル軸直交方向の平断面図を示す。ここでは、廃止坑道と交差するように廃止坑道の下部にトンネルが築造される場合について説明する。
【００１０】
先ず、トンネルＴを適宜の工法で掘削し、坑内に支保工５を架設する。支保工５は、トンネル軸方向に所定の間隔をおいてトンネル軸直交方向に配設されるアーチ状の鋼製支保工２と、吹付けコンクリート４とから構成される。
廃止坑道（以下、空洞Ｖと呼ぶ。）部分では、トンネルＴの上方に地山Ｇが無いので支保工５を設置しなくてもよいのであるが、後で充填作業を行う際に袋体１０を支保工５に固定する必要があるため、また空洞Ｖ上部からの落石防護のため、アーチ状の鋼製支保工２と、鋼製支保工２、２間に架け渡される帯状の矢板３とからなる支保工５を設置しておく。
【００１１】
次いで、空洞Ｖの底付近に位置する矢板３に孔をあける等して、支保工５背面の空洞Ｖに向けて所定長さの帯状の袋体１０を突出させ、袋体１０の口元部を支保工５に固定する。
ここで、袋体１０としては、布パッカー（グラウトジャケット）や布製型枠（コンクリートマット）などを利用することができる。
【００１２】
そして、袋体１０内に発泡ウレタンを注入して発泡膨脹させ、所定長・所定径を有する緩衝体１を空洞Ｖの所定範囲Ｒに形成する。因みに、本実施形態における緩衝体１は直径６００ｍｍ、長さ３０００ｍｍ程度の円柱状とされている。
【００１３】
図４は、袋体１０内に発泡ウレタン１４を注入する方法を示したものである。
袋体１０内には、袋体１０とほぼ同じ長さを有する棒状の芯材１２が挿入されており、芯材１２の一端は口元部１１で固定され、他端には拡径部１２ａが形成されている。このような袋体１０内に口元部１１から注入管１３を差し込み、注入管１３から発泡ウレタン１４を吐出して袋体１０内に発泡ウレタン１４を充填する。
【００１４】
発泡ウレタン１４の発泡倍率は３０〜５０倍、ゲルタイム（流動性が無くなるまでの時間）は１〜２分程度であり、空洞Ｖ内で急速に発泡硬化する。また、降伏後の歪は約５〜８０％と非常に大きく、空洞Ｖ上部からの落石による衝撃を容易に吸収することができる。加えて、耐久性にも優れているうえ、注入管１３を用いて袋体１０内に注入することができるので施工も容易である。
【００１５】
さて、空洞Ｖの底付近に緩衝体１が形成されると、その上部の矢板３に孔をあける等して、支保工５背面の空洞Ｖに向けて袋体１０を突出させ、袋体１０の口元部を支保工５に固定する。そして、袋体１０内に発泡ウレタンを注入して発泡膨脹させ、既に形成された緩衝体１の上方に所定長・所定径を有する緩衝体１を新たに形成する。
【００１６】
以上の手順をトンネルＴの両側壁部から天端部に向けて順次実施し、空洞Ｖの所定範囲Ｒに緩衝体１の束からなる緩衝ゾーンを形成するのである。
【００１７】
本実施形態による空洞の充填方法では、所定長さの帯状の袋体１０内に発泡ウレタン１４を注入して形成した緩衝体１を空洞Ｖの所定範囲Ｒに束状に配設するので、空洞Ｖ内に隔壁などを構築しないと空洞Ｖ内の充填ができないような、空洞Ｖが大きく拡がっているような場合でも、空洞Ｖの所定範囲Ｒを限定的に充填することが可能である。しかも、緩衝体１の束が空洞Ｖ上部からの落石を受け止めるので落石防護工としても機能する。
【００１８】
以上、本発明の実施形態について説明したが、本発明は上記の実施形態に限定されるものではなく、その趣旨を逸脱しない範囲で適宜変更可能である。例えば、上記の実施形態では、芯材は棒状部材としたがこれに限定されるものではなく、螺旋状など他の形状をしたものでもよい。要は、本発明において所期の機能が得られればよいのである。
【図面の簡単な説明】
【００１９】
【図１】本発明に係る空洞の充填方法を説明するためのトンネル軸直交方向の平断面図である。
【図２】本発明に係る空洞の充填方法を説明するためのトンネル軸直交方向の平断面図である。
【図３】図２におけるＡ−Ａ矢視断面図である。
【図４】袋体内に発泡ウレタンを注入する方法を示した説明図であり、（ａ）は発泡ウレタン注入前、（ｂ）は発泡ウレタン注入時の状態である。
【符号の説明】
【００２０】
１  緩衝体
２  鋼製支保工
３  矢板
４  吹付けコンクリート
５  支保工
１０  袋体
１１  口元部
１２  芯材
１２ａ  拡径部
１３  注入管
１４  発泡ウレタン
Ｔ  トンネル
Ｖ  空洞
Ｒ  所定範囲
Ｇ  地山
【図１】
2007146522.tif 000003
【図２】
2007146522.tif 000004
【図３】
2007146522.tif 000005
【図４】
2007146522.tif 000006